(57)【特許請求の範囲】
【請求項１】
コントロール装置（１６）、複数の指標付き無線固定部分（２４）、（２６）、（２８）、（３０）、（３２）、（３４）、複数の順次関連搬送波周波数（４０１）、（４０２）、（４０３）、（４０４）、（４０５）、を含む無線ローカルループ通信システム（１０）の搬送波周波数割当て方法であって、前記複数の順次関連搬送波周波数（４０１）、（４０２）、（４０３）、（４０４）、（４０５）は複数のタイムスロット（４２）に分割される一連のフレーム（４３）に配置され、
各指標付きタイムスロット（４２）で、複数の各順次関連搬送波周波数（４０１）、（４０２）、（４０３）、（４０４）、（４０５）を複数の指標付き無線固定部分（２４）、（２６）、（２８）、（３０）、（３２）、（３４）へ、コントロール装置（１６）を使用して順次に割り当てるステップと、
連続する各タイムスロット（４２）中に、複数の各指標付き無線固定部分（２４）、（２６）、（２８）、（３０）、（３２）、（３４）で複数の順次関連搬送波周波数（４０１）、（４０２）、（４０３）、（４０４）、（４０５）を１搬送波周波数（４０１）、（４０２）、（４０３）、（４０４）、（４０５）だけ進めることで、コントロール装置（１６）を使用して各順次関連搬送波周波数（４０１）、（４０２）、（４０３）、（４０４）、（４０５）に指標付けするステップであって、複数の各指標付き無線固定部分（２４）、（２６）、（２８）、（３０）、（３２）、（３４）での指標付けにおいて一連の順次関連搬送波周波数（４０１）、（４０２）、（４０３）、（４０４）、（４０５）の最後の搬送波周波数（４０１）、（４０２）、（４０３）、（４０４）、（４０５）の後ろに最初の搬送波周波数（４０１）、（４０２）、（４０３）、（４０４）、（４０５）が続くステップと、
指標付き無線固定部分（２４）、（２６）、（２８）、（３０）、（３２）、（３４）の数が順次関連搬送波周波数（４０１）、（４０２）、（４０３）、（４０４）、（４０５）の数を超えているとき、配列内のどの隣接指標付き無線固定部分（２４）、（２６）、（２８）、（３０）、（３２）、（３４）も同じ搬送波周波数（４０１）、（４０２）、（４０３）、（４０４）、（４０５）が割り当てられないように順次関連搬送波周波数（４０１）、（４０２）、（４０３）、（４０４）、（４０５）を割り当てるステップと、
を含むことを特徴とする方法。
【請求項２】
請求項１に記載の方法であって、一連のフレーム（４３）を第１のタイムスロットセット（４３ａ）と第２のタイムスロットセット（４３ｂ）とに分割するステップをさらに含むことを特徴とする方法。
【請求項３】
請求項２に記載の方法であって、第１のタイムスロットセット（４３ａ）中は、指標付き無線固定部分（２４）、（２６）、（２８）、（３０）、（３２）、（３４）の第１のセットでは無線受信を禁止するステップをさらに含むことを特徴とする方法。
【請求項４】
請求項２に記載の方法であって、第１のタイムスロットセット（４３ａ）中は、指標付き無線固定部分（２４）、（２６）、（２８）、（３０）、（３２）、（３４）の第２のセットでは無線送信を禁止するステップをさらに含むことを特徴とする方法。
【請求項５】
請求項２に記載の方法であって、第２のタイムスロットセット（４３ｂ）中は、指標付き無線固定部分（２４）、（２６）、（２８）、（３０）、（３２）、（３４）の第１のセットでは無線送信を禁止するステップをさらに含むことを特徴とする方法。
【請求項６】
請求項２に記載の方法であって、第２のタイムスロットセット（４３ｂ）中は、指標付き無線固定部分（２４）、（２６）、（２８）、（３０）、（３２）、（３４）の第２のセットでは無線受信を禁止するステップをさらに含むことを特徴とする方法。
【請求項７】
複数の指標付き無線固定部分（２４）、（２６）、（２８）、（３０）、（３２）、（３４）と複数の順次関連搬送波周波数（４０１）、（４０２）、（４０３）、（４０４）、（４０５）とを含み、前記順次関連搬送波周波数（４０１）、（４０２）、（４０３）、（４０４）、（４０５）が複数のタイムスロット（４２）を持つ一連のフレーム（４３）に分割されている無線ローカルループ通信システム（１０）であって、
複数の指標付き無線固定部分（２４）、（２６）、（２８）、（３０）、（３２）、（３４）に接続されていて、各タイムスロット（４２）で、各順次関連搬送波周波数（４０１）、（４０２）、（４０３）、（４０４）、（４０５）を複数の指標付き無線固定部分（２４）、（２６）、（２８）、（３０）、（３２）、（３４）に順次に割り当てるコントロール装置（１６）を備え、
コントロール装置（１６）は、連続する各タイムスロット（４２）時に、各指標付き無線固定部分（２４）、（２６）、（２８）、（３０）、（３２）、（３４）で、複数の順次関連搬送波周波数（４０１）、（４０２）、（４０３）、（４０４）、（４０５）を所定の搬送波周波数（４０１）、（４０２）、（４０３）、（４０４）、（４０５）の数だけ進めることで、各順次関連搬送波周波数（４０１）、（４０２）、（４０３）、（４０４）、（４０５）に指標付けを行い、一連の順次関連搬送波周波数（４０１）、（４０２）、（４０３）、（４０４）、（４０５）の最後の搬送波周波数（４０１）、（４０２）、（４０３）、（４０４）、（４０５）の後ろに最初の搬送波周波数（４０１）、（４０２）、（４０３）、（４０４）、（４０５）が続き、
指標付き無線固定部分（２４）、（２６）、（２８）、（３０）、（３２）、（３４）の数が順次関連搬送波周波数（４０１）、（４０２）、（４０３）、（４０４）、（４０５）の数を超えているときは、どの隣接指標付き無線固定部分（２４）、（２６）、（２８）、（３０）、（３２）、（３４）にも同じ搬送波周波数（４０１）、（４０２）、（４０３）、（４０４）、（４０５）が割り当てられないように、順次関連搬送波周波数（４０１）、（４０２）、（４０３）、（４０４）、（４０５）が割り当てられることを特徴とするシステム。
【請求項８】
請求項７に記載の無線ローカルループ通信システム（１０）であって、前記フレーム（４３）を第１のタイムスロットセット（４３ａ）と第２のタイムスロットセット（４３ｂ）とに分割することを特徴とするシステム。
【請求項９】
請求項８に記載の無線ローカルループ通信システム（１０）であって、コントロール装置（１６）は、第１のタイムスロットセット（４３ａ）中は、指標付き無線固定部分（２４）、（２６）、（２８）、（３０）、（３２）、（３４）の第１のセットでは無線受信を禁止することを特徴とするシステム。
【請求項１０】
請求項８に記載の無線ローカルループ通信システムであって、コントロール装置は、第１のタイムスロットセット（４３ａ）中は、指標付き無線固定部分の第２のセットでは無線送信を禁止することを特徴とするシステム。
【請求項１１】
請求項８に記載の無線ローカルループ通信システムであって、コントロール装置（１６）は、第２のタイムスロットセット（４３ｂ）中は、指標付き無線固定部分（２４）、（２６）、（２８）、（３０）、（３２）、（３４）の第１のセットでは無線送信を禁止することを特徴とするシステム。
【請求項１２】
請求項８に記載の無線ローカルループ通信システムであって、コントロール装置（１６）は、第２のタイムスロットセット（４３ｂ）中は、指標付き無線固定部分（２４）、（２６）、（２８）、（３０）、（３２）、（３４）の第２のセットでは無線受信を禁止することを特徴とするシステム。
【発明の詳細な説明】
【０００１】
本出願は、係属中の米国仮特許出願第６０／０６６，７６３号（１９９７年１１月１９日）の優先権を主張する。
（技術分野）
本発明は、無線ローカルループ通信システムの新しい通信方法に関する。特に、内部干渉と妨害の問題を最小限に抑える目的で無線アクセスノードとユーザ端末との間で無線送受信時に行われる搬送波周波数循環方法とシステムに関する。
【０００２】
（発明の背景）
セルラーシステムは周波数再使用という原理に基づいて動作しているため、セルラー通信業者は、大容量の無線トラヒックを提供できる。無線トラヒック容量が増えるにつれ、各地域当たりで無線通信を利用できるユーザ数が増加する。周波数再使用はセルラー通信における基本的な概念で、システム内で同じ周波数を繰り返し再使用することで、複数の呼出しを処理している。時分割多元接続（“ＴＤＭＡ”）はアクセス技法の１つで、複数のユーザが同じ周波数スペクトラムを占有できる。セルラーシステムの各ユーザは、タイムスロット割当てが時間的に異なる他のユーザと周波数割当てを共有する。
【０００３】
無線ローカルループ通信システムでＴＤＭＡセルラー通信標準を採用している場合、複数のユーザは同じ周波数チャネルを共有し、各ユーザは固有のタイムスロットの割当てを受ける。各ランダムアクセスノードまたはセルサイトでトラヒックが増大すると、内部干渉レベル及び信号妨害レベルが上昇する。これは、隣接無線固定部分で使用する周波数搬送波の数が増加するからである。固定アクセス装置や移動局の呼出し時には様々な要素が無線通信の品質に影響を与えるため、ユーザはいくつかの品質上の問題に悩まされる。これらには、内部干渉、妨害、負荷、マルチパス伝播、散乱、及び反射などがある。呼出し品質に関するこのような問題を緩和するために、従来からいくつかの試みが成されている。
【０００４】
従来の低層ＰＣＳ通信システムでは、ダイナミックチャネル割当てを行うことで、内部システム干渉と妨害の問題を解決してきた。固定アクセス装置や移動局は、セルラーネットワーク内の無線通信の品質を維持するために、操作環境をスキャンし、利用可能なすべてのチャネルを選択する。次に、スキャンした結果を品質順に履歴テーブルにロードする。この履歴テーブルを様々な時間間隔で更新し、使用可能な各種チャネルの状態を常時監視する。ハンドセットまたは移動装置が呼出し中に干渉やフェージングに悩まされたり別の基地局から強い信号を受け取ったりすると、移動装置は履歴テーブルにロードされている情報に従って、状態の良いチャネルに自動的に切り替わるようになっている。
【０００５】
無線ローカルループ通信システムでは、ランダムアクセスノードと固定アクセス装置との距離は、ビジネス無線システムの動作範囲よりはるかに大きい。無線アクセスノードと固定アクセス装置との距離は最大３０００メートルであるのに対し、ビジネス無線システムでは、無線アクセスノードと固定アクセス装置との距離は、通常、最大でも３００メートルである。ローカルチャネル状態は、無線固定部分が受ける干渉及び妨害問題が原因で、これら２つのシステムの固定アクセス装置では大きく異なっている可能性がある。固定アクセス装置で感知するチャネルが良好なチャネルであっても、無線固定部分では不良チャネルであることがある。ダイナミックチャネル割当てシステムではチャネル品質の差を区別できないため、内部干渉及び妨害に関する問題を効果的に解決できない。この問題のため、セルラーシステムの容量は、トラヒックが上昇すると極端に悪化する。したがって、無線ローカルループ通信システムにおける内部干渉と妨害に関する問題を効果的に解決するシステムチャネルプラニング方法が要求されている。
【０００６】
（発明の要約）
本発明は、無線ローカルループ通信システムのための周波数搬送波プラニング方法を提供することで、内部干渉と妨害に関する問題を解決している。本発明は、無線ローカルループ通信システムの通信方法を含む。本発明では、複数の指標付き無線固定部分を使用して無線アクセスノードと呼ばれる配列を構成する。さらに、複数の順次関連搬送波周波数を提供して無線通信を行うようにする。複数の各搬送波周波数は一連のフレームに分割され、これらのフレームは複数のタイムスロットで構成される。動作を説明すると、順次関連搬送波周波数のそれぞれを、各タイムスロットで、指標付き無線固定部分のいずれかに順次に割り当てる。複数の各順次関連搬送波周波数は、連続する各タイムスロットごとに、所定の搬送波周波数の数だけ進められる。複数の順次関連搬送波周波数の最後の搬送波周波数の後ろに、最初の搬送波周波数が続く。
【０００７】
操作時に内部干渉をさらに緩和するために、配列に含まれるどの隣接無線固定部分も特定のタイムスロットで同じ周波数を使用しないように、複数の各順次関連搬送波周波数を割り当てる。この方法は、各フレームを第１のタイムスロットセットと第２のタイムスロットセットに分割するステップをさらに含むことができる。これにより、第１のタイムスロットセット時には、無線ローカルループ通信は奇数番号の指標付き無線固定部分では無線受信を禁止し、偶数番号の指標付き無線固定部分では無線送信を同時に禁止することができる。同様に、第２のタイムスロットセット時には、無線ローカルループ通信システムは偶数番号の指標付き無線固定部分では無線送信を禁止し、偶数番号の指標付き無線固定部分では無線受信を禁止することができる。
【０００８】
本発明は、無線ローカルループ通信システムも開示する。無線ローカルループ通信システムには複数の指標付き無線固定部分があり、これらは複数の順次関連搬送波周波数を使用してユーザ端末との無線通信を行う。各順次関連搬送波周波数は一連のフレームに分割され、それらのフレームは複数のタイムスロットで構成される。コントロール装置を複数の指標付き無線固定部分に接続し、各タイムスロットで、各順次関連搬送波周波数を複数の指標付き無線固定部分のいずれかに割り当てる。
【０００９】
動作時には、各指標付き無線固定部分で、複数の順次関連搬送波周波数を所定の搬送波周波数の数だけ進めることで、コントロール装置は連続する各タイムスロット時に各順次関連搬送波周波数に指標を付ける。一連の順次関連搬送波周波数の最後の搬送波周波数は、最初の搬送波周波数で置き換えられる。好ましい実施例では、搬送波周波数は１搬送波周波数ごとに指標付けされる。さらに、内部干渉を最小限に抑えるために、指標付き無線固定部分の数が順次関連搬送波周波数の数を超えているときは、どの隣接指標付き無線固定部分にも同じ搬送波周波数が割り当てられないように、順次関連搬送波周波数を割り当てる。
【００１０】
無線通信システムは、フレームを第１のタイムスロットセットと第２のタイムスロットセットとに分割することができる。これにより、第１のタイムスロットセットでは、コントロール装置は奇数番号の指標付き無線固定部分では無線受信を禁止し、偶数番号の指標付き無線固定部分では無線送信を禁止することもできる。さらに、第２のタイムスロットセットでは、コントロール装置は奇数番号の指標付き無線固定部分では無線送信を禁止し、偶数番号の指標付き無線固定部分では無線受信を禁止することができる。
【００１１】
本発明の他の機能及び利点は、以下の図面及び本発明の詳細な説明から明らかになる。
【００１２】
（発明の詳細な説明）
本発明は、内部無線干渉と妨害を許容レベルに抑える無線ローカルループ通信システムにおけるシステム搬送波周波数プラニングの新しい方法を開示する。この方法では、無線ローカルループネットワークにおける品質と柔軟性を向上させ容量を増大させることで、従来技術の問題を解決している。本発明は、マルチチャネル無線ローカルループ通信システムを最適に動作させるための方法とシステムを含んでいるため、無線ローカルループ通信システムの動作に関する基本的な知識を持っていることが重要である。
【００１３】
無線ローカルループ通信システムは、システムの要求に応じて、場所ごとに異なっている。例えば、郊外で使用する無線ローカルループ通信システムは、都会の密集地で使用するものとは異なっている。本発明は、無線通信に影響を与えない程度に内部干渉及び妨害レベルを抑えて、複数ユーザがシステムにアクセスすることができる無線ローカルループ通信システムのシステム動作方法を提供している。無線通信の当業者であれば、開示した方法を他の無線ネットワークに適用しそれらのシステムの品質向上にも役立てることができることが分かる。
【００１４】
図１では、複数のユーザ端末と無線通信を行うために使用できる無線ローカルループ通信システム１０を示している。図示するように、無線アクセスノード（“ＲＡＮ”）１２は地上に高く建造された塔１４に設置でき、ＲＡＮコントロール室１６に接続されている。ＲＡＮ  １２は、標準化されたいずれかの通信プロトコルを使用し、無線ローカルループ通信システム１０と接続可能な任意の通信装置との間で、無線信号の送受信を行う。無線ローカルループ通信システム１０では、無線通信はＲＡＮ  １２と家庭または企業に接続可能な複数の固定アクセス装置１８との間で行われる。これら複数の固定アクセス装置１８は、様々な通信装置と接続可能である。これには、電話２０、モデム２２、ファックス、または無線通信を行うことができる他の任意の通信装置などが含まれる。携帯電話１９もＲＡＮ  １２と無線通信を行うことができる。したがって、固定アクセス装置１８に言及する場合は、セルラー電話１９及び無線通信用の他のすべてのタイプの通信装置も含まれるものとする。
【００１５】
標準的なＲＡＮ  １２は、複数の無線固定部分２４、２６、２８、３０、３２、及び３４で構成されている。これらは、配列状に配置され、無線ローカルループ通信システム１０と接続する各種通信装置が使用する無線信号の送受信を行う（図１Ａ参照）。複数の無線固定部分２４、２６、２８、３０、３２、及び３４は、平面上の３６０度を循環して網羅するような幾何学的な配列になっている。図１Ａに示すように、６つの無線固定部分２４、２６、２８、３０、３２、及び３４の配列を使用し、ＲＡＮ  １２を構成している。配列を構成する無線固定部分の個数は、６個でも、１２個でも、１８個でも、またはそれ以上でもよい。６個で構成する配列を開示したのは例を示しただけで、その個数を制限するものではない。図１Ｂに示すように、通常は複数のＲＡＮ  １２をまとめて、さらに広い領域を網羅するようにする。
【００１６】
無線ローカルループ通信システム１０のユーザが公衆回線と通信できるように、ＲＡＮコントロール装置１６は公衆電話交換網ハブ３６と接続している。公衆電話交換網ハブ３６は公衆電話交換網（ＰＳＴＮ）３８と接続していて、無線ローカルループ通信システム１０のユーザが公衆電話網に接続している任意のユーザと通信できるようにしている。ＲＡＮコントロール装置１６は通常はＲＡＮ  １２の近くに設置されていて、ＲＡＮ  １２と複数の固定アクセス装置１８との間の無線信号の送受信を制御する。ＲＡＮコントロール装置１６は、無線ローカルループ通信システム１０のユーザと公衆電話交換網３８との間の通信も制御する。
【００１７】
複数の無線固定部分２４、２６、２８、３０、３２、及び３４と複数の固定アクセス装置１８との間の無線通信を行うためには、標準デジタル通信プロトコルを選択する必要がある。本発明の好ましい実施例では、通信方法は、時分割多元接続（“ＴＤＭＡ”）を標準通信プロトコルとして使用して動作する。ＴＤＭＡは周知のアクセス技法で、時分割を使用することで複数のユーザが同じ搬送波周波数を占有することができる。米国で使用している標準ＴＤＭＡ形式はＩＳ−５４標準で、北米デュアルモードセルラー形式と呼ばれる。米国では、北米連邦通信委員会が、ＰＣＳ帯域と呼ばれる１８５０〜１９９０ＭＨｚの無線周波数ブロックを割り当てている。高位周波数帯域は１９３０〜１９９０ＭＨｚとし、低位周波数帯域は１８５０〜１９１０ＭＨｚとして、デジタルセルラー通信に使用している。ＴＤＭＡ形式を使用するデジタルコードレス電話の欧州の標準は、通常、欧州デジタルコードレス遠隔通信（“ＤＥＣＴ”）標準と呼ばれている。
【００１８】
本発明の通信方法は、ＴＤＭＡ通信プロトコルを有効に活用している。図２に示すように、ＴＤＭＡプロトコルでは、複数の周波数搬送波４０１、４０２を予め定めた短いタイムスロット４２で構成される繰返しシーケンスに分割している。図３は、標準的なタイムスロット４２を示している。通信装置は各タイムスロット４２を使用し、特定のデータビット量（通常使用する形式では４８０）をタイムスロット４２ごとに搬送波周波数４０で送受信する。送信及び受信が含まれた会話ではタイムスロット４２を２つしか使用しないため、１つの搬送波周波数４０では複数の呼出しを同時に処理できる。図３に示すように、タイムスロット４２は、通常は、さらに短いタイムスロットに分割される。これらのタイムスロットは小さなデータ部分で構成され、ガードスペース４４、同期フィールド４６、信号フィールド４８、データフィールド５０、ＣＲＣ検査フィールド５２、スライディング干渉検出フィールド５４などに使用できる。これらの小さな時間セグメントそれぞれを抽出する機能は、本発明のシステムチャネルプラニング方法を理解するためには重要ではない。
【００１９】
本発明は複数の順次関連周波数搬送波を使用する。これらは以下の説明では、順次番号４０１〜４０５で表す。周波数搬送波４０１〜４０５は、無線通信に使用できる周波数スペクトラムの任意の部分から選択できる。ここでは５つの周波数搬送波４０１〜４０５だけを説明しているが、当業者であれば周波数搬送波の数を変更してもよいことが分かる。
【００２０】
本発明の好ましい実施例では、無線ローカルループ通信システム１０の通信方法を含んでいる。本発明では、複数の指標付き無線固定部分２４、２６、２８、３０、３２、及び３４で構成される配列１２が備わっていて、固定アクセス装置１８との無線通信を行う。上記で述べたように、固定アクセス装置１８は、移動装置１９でも固定アクセス装置１８でもよい。図４及び図５の４０１、４０２、４０３、４０４などで示す複数の順次関連搬送波周波数が与えられ、複数の指標付き無線固定部分２４、２６、２８、３０、３２、及び３４と固定アクセス装置１８との間の無線通信を行う。
【００２１】
本発明では一連のフレーム４３を用意して、これを、図２に示すように複数のタイムスロット４２に分割する。これら一連のフレーム４３は、複数の各順次関連搬送波周波数４０１〜４０５ですべて同期化される。動作時には、本発明による方法は、図４に示すように指標付けられた各タイムスロット４３ごとに、複数の順次関連搬送波周波数４０１〜４０５のそれぞれを、指標付けられた複数の無線固定部分２４、２６、２８、３０、３２、及び３４のいずれかに順次に割り当てる。さらに、この方法は動作時に、連続する各タイムスロット４３で、各順次関連搬送波周波数４０１〜４０５のそれぞれに指標付けを行う。これは、図４に示すように、複数の指標付き無線固定部分２４、２６、２８、３０、３２、及び３４のそれぞれで、複数の順次関連搬送波周波数４０１〜４０５を１搬送波周波数４０１だけ（例えば４０１から４０２）進めることで行う。無線固定部分２４、２６、２８、３０、３２、及び３４の数は動作時の順次関連搬送波周波数４０１〜４０５の数を超えることがあるため、搬送波周波数４０１〜４０５の順序付けでは、最後に利用可能な搬送波周波数（例えば４０５）は最初に利用可能な搬送波周波数（例えば４０１）により置き換えられる。
【００２２】
本発明では、好ましい方法は、指標付き無線固定部分２４、２６、２８、３０、３２、及び３４の数が順次関連搬送波周波数４０１〜４０５の数を超えるとき、配列１２に含まれる隣接指標付き無線固定部分２４、２６、２８、３０、３２、または３４のどれにも同じ搬送波周波数が割り当てられないように、順次関連搬送波周波数４０１〜４０５を割り当てるようにしている。以下、説明の都合上、図４に示すように、配列１２は６つの無線固定部分２４、２６、２８、３０、３２、及び３４で構成されていて、無線ローカルループ通信システム１０で利用できる搬送波周波数４０１〜４０５の５つしかなく、フレーム４３の１フレーム当り６つのタイムスロットＴＳ１〜ＴＳ６があるものとする。したがって、本発明では、最初のタイムスロットＴＳ１で搬送波周波数４０１を最初の無線固定部分２４に割り当て、搬送波周波数４０２を２番目の無線固定部分２６に割り当て、搬送波周波数４０３を３番目の無線固定部分２８に割り当て、搬送波周波数４０４を４番目の無線固定部分３０に割り当て、搬送波周波数４０５を５番目の無線固定部分３２に割り当て、搬送波周波数４０３を６番目の無線固定部分３４に割り当てている。
【００２３】
搬送波周波数４０１〜４０５を５番目の無線固定部分３２以降も純粋に順次に割り当てていくとすると、この方法では６番目の無線固定部分３４に最初の搬送波周波数４０１が割り当てられてしまう。したがって、６番目の無線固定部分３４と隣接する最初の無線固定部分２４（図１Ａを参照）とが、同じ搬送波周波数４０１を使用することになる。これにより内部干渉が発生し、無線ローカルループ通信システム１０は無線通信品質の低下を招くことになる。このような無線品質の低下を避けるために、本発明は３番目の搬送波周波数４０３を６番目の無線固定部分３４に割り当てている。
【００２４】
無線ローカルループ通信システム１０の好ましい通信方法は、一連のフレーム４３を第１のタイムスロットセット４３ａと第２のタイムスロットセット４３ｂとに分割するステップをさらに含む。これにより、好ましい方法は、第１のタイムスロットセット４３ａ中は無線固定部分の第１のセット（例えば、無線固定部分２４、２８、及び３２）での無線受信を禁止し、第１のタイムスロットセット４３ａ中は無線固定部分の第２のセット（例えば、無線固定部分２６、３０、及び３４）での無線送信を禁止し、第２のタイムスロットセット４３ｂ中は無線固定部分の第１のセット（例えば、無線固定部分２６、３０、及び３４）での無線送信を禁止し、第２のタイムスロットセット４３ｂ中は他の無線固定部分（例えば、無線固定部分２６、３０、及び３４）での無線受信を禁止するステップとを含むことができる。無線固定部分の第１のセットと無線固定部分の第２のセットとは、隣接しない無線固定部分を含むことになる。例えば、この第１のセットの無線固定部分２４、２８、及び３２は、どれも隣接していない。送信時間及び受信時間をこのようにコントロールすることで、隣接するどの搬送波周波数も同時に送信したり受信したりしなくなるため、内部システム干渉が緩和される。
【００２５】
本発明の別の好ましい実施例では、無線ローカルループ通信システム１０のマルチチャネルプラニングの方法を開示する。本発明のこの好ましい実施例は、複数のタイムスロット４２を含む一連のフレーム４３を提供するステップと、複数の指標付き無線固定部分２４、２６、２８、３０、３２、及び３４を提供するステップと、複数の順次関連搬送波周波数４０１〜４０５を提供するステップと、順次関連搬送波周波数４０１〜４０５のそれぞれを各タイムスロット４２で指標付き無線固定部分２４、２６、２８、３０、３２、または３４のいずれかに順次に割り当てるステップと、複数の順次関連搬送波周波数４０１〜４０５のそれぞれを連続する各タイムスロット４２ごとに所定の搬送波周波数の数だけ進めるステップであって複数の順次関連搬送波周波数４０１〜４０５の最後の搬送波周波数４０５の後ろに最初の搬送波周波数４０１が続くステップと、配列１２に含まれる隣接する無線固定部分２４、２６、２８、３０、３２、または３４には同じ搬送波周波数が割り当てられないように複数の順次関連搬送波周波数を割り当てるステップとを含むことを特徴とする。
【００２６】
好ましい方法は、フレーム４３のそれぞれを第１のタイムスロットセット４３ａと第２のタイムスロットセット４３ｂとに分割するステップをさらに含むことができる。無線ローカルループ通信システム１０の動作により引き起こされる内部干渉をさらに緩和するために、好ましい方法は、第１のタイムスロットセット４３ａ中に、無線固定部分の第１のセットでの無線受信を禁止し無線固定部分の第２のセットでの無線送信を禁止することができる。さらに、好ましい方法は、第２のタイムスロットセット４３ｂ中に、無線固定部分の第１のセットでの無線送信を禁止し無線固定部分の第２のセットにおける無線受信を禁止することができる。
【００２７】
本発明の別の好ましい実施例は、内部干渉レベルを許容範囲に維持しながら、無線通信を行うことができる無線ローカルループ通信システム１０を開示する。このシステムは、複数の固定アクセス端末１８との無線通信を実行するために使用される配列１２に配置された複数の指標付き無線固定部分２４、２６、２８、３０、３２、及び３４を備えている。このシステムは、複数の順次関連搬送波周波数４０１〜４０５を使用し、これらの周波数を複数のタイムスロット４２を含む一連のフレーム４３に分割している。複数の指標付き無線固定部分２４、２６、２８、３０、３２、及び３４にコントロール装置を接続し、各タイムスロット４２において、順次搬送波周波数４０１〜４０５のそれぞれを複数の指標付き無線固定部分２４、２６、２８、３０、３２、及び３４のいずれかに順次に割り当てるようにしている。
【００２８】
動作時に、コントロール装置１６は、連続する各タイムスロット４２時に、順次関連搬送波周波数４０１〜４０５のそれぞれに指標付けする。これは、指標付き無線固定部分２４、２６、２８、３０、３２、及び３４のそれぞれで、複数の順次関連搬送波周波数を所定の搬送波周波数の数だけ進めることで行う。周波数を順序付ける場合、指標付き無線固定部分２４、２６、２８、３０、３２、及び３４の数が順次関連搬送波周波数４０１〜４０５の数を超えているとき、一連の順次関連搬送波周波数４０１〜４０５の最後の搬送波周波数４０１〜４０５は最初の搬送波周波数（例えば４０１）で置き換える。本発明の好ましい実施例では、システムが進める搬送波周波数の所定数は１搬送波周波数であり、例えば、４０１から４０２、４０２から４０３などである。
【００２９】
無線ローカルループ通信システム１０の好ましい実施例では、コントロール装置１６は、指標付き無線固定部分２４、２６、２８、３０、３２、及び３４の数が順次関連搬送波周波数４０１〜４０５の数を超えているときは、指標付き無線固定部分２４、２６、２８、３０、３２、または３４のどの隣接部分も同じ搬送波周波数が割り当てられないように、順次関連搬送波周波数４０１〜４０５を割り当てる。図１Ａと図４を参照すると、６つの無線固定部分２４、２６、２８、３０、３２、及び３４で構成される配列１２の好ましい実施例には、フレーム４３（６つのタイムスロット４２がある）のときに使用する５つの順次搬送波周波数４０１〜４０５が割り当てられる。上記で説明したように、無線固定部分の数が使用可能な搬送波周波数の数を超えている。
【００３０】
指標付き無線固定部分２４、２６、２８、３０、３２、及び３４のそれぞれに搬送波周波数を割り当てるとき、これらを順次を割り当てる。したがって、動作時に、無線固定部分２４は最初の搬送波周波数４０１に割り当てられ、２番目の無線固定部分２６は２番目の搬送波周波数４０２に割り当てられ、３番目の無線固定部分２８は３番目の搬送波周波数４０３に割り当てられ、４番目の無線固定部分３０は４番目の搬送波周波数４０４に割り当てられ、５番目の無線固定部分３２は５番目の搬送波周波数４０５に割り当てられる。最初の無線固定部分２４は最初の搬送波周波数４０１にすでに割り当てられているため、６番目の無線固定部分３４を最初の搬送波周波数４０１に割り当てることはできない。隣接する無線固定部分２４と３４とで同じ搬送波周波数をタイムスロット４２中に使用すると、実行される無線通信に内部干渉が発生することになる。したがって、連続する各タイムスロット４２時に複数の無線固定部分２４、２６、２８、３０、３２、及び３４のそれぞれは搬送波周波数割当てが次の搬送周波数に進むため、隣接する無線固定部分２４と３４とは同じ搬送波周波数を使用しない。図５は、無線固定部分が１２個存在するＲＡＮ  １２で使用できるチャネル割当て方法を示したものである。
【００３１】
本発明の別の好ましい実施例では、無線ローカルループ通信システム１０は、フレーム４３を第１のタイムスロットセット４３ａと第２のタイムスロットセット４３ｂとに分割する。内部干渉をさらに緩和するために、コントロール装置１６は第１のタイムスロットセット４３ａ中は、奇数番号の指標付き無線固定部分における無線受信を禁止し、偶数番号の指標付き無線固定部分における送信を禁止する。同様に、第２のタイムスロットセット４３ｂでは、コントロール装置１６は奇数番号の指標付き無線固定部分における無線送信を禁止し、偶数番号の指標付き無線固定部分における無線受信を禁止する。
【００３２】
本発明の好ましい実施例を幾つか開示したが、当業者であれば、開示した方法を多くの通信システムで利用できることが分かる。また、上記で説明した実施例に対する広範囲な変更と修正は、当業者にとっては明らかで、これらを考慮することができる。したがって、上記の詳細な説明は限定的に解釈するのではなく説明のためのものと解釈し、本発明の範囲は、以下の特許請求の範囲（同等なものすべてを含む）で定義するものとする。
【図面の簡単な説明】
【図１】  無線ローカルループ通信システムの好ましい実施例を図式化して表したものである。
【図１Ａ】  ６つの無線固定部分を持つ無線アクセスノードを図式化して表したものである。
【図１Ｂ】  無線アクセスノードの配列を図式化して表したものである。
【図２】  図２は、ＴＤＭＡ無線通信で使用される一連のタイムスロットを細分して図式化したものである。
【図３】  図３は、タイムスロットを図式化して表したものである。
【図４】  図４は、６つの無線固定部分を持つＲＡＮの搬送波周波数割当てを図示したものである。
【図５】  図５は、１２の無線固定部分を持つＲＡＮの搬送波周波数割当てを図示したものである。
【図１】
0004256066.tif 000002
【図１Ａ】
0004256066.tif 000003
【図１Ｂ】
0004256066.tif 000004
【図２】
0004256066.tif 000005
【図３】
0004256066.tif 000006
【図４】
0004256066.tif 000007
【図５】
0004256066.tif 000008